(57)【要約】【課題】片手に荷物を持って，傘を差しながら長い時間走行することは中々困難であるがそれを可能とした携帯傘バンドを提供する。【解決手段】傘を差す人の額に，額連結バンドに鉢巻状に固定し，胸には柄連結部本体を傘に巻き付け，更に胸にまわして，胸固定バンド右面ファスナー凹部と，胸固定バンド左面ファスナー凸部で固定して片手に荷物を持っていても，傘を差すことに支障のないことを特徴とする。【選択図】図１
2015213624.tif 000002
【特許請求の範囲】
【請求項１】
傘を差して受け骨に，受け骨固定バンド（１）を通して，受け骨固定バンド面ファスナー凸部（１−２）と受け骨固定バンド面ファスナー凹部（１−３）で固定し，輪状になった受け骨固定バンド（１）に，額連結バンド（２）を通して，傘を差す人の額に鉢巻き状にして，額連結バンド面ファスナー凸部（２−２）と額連結バンド面ファスナー凹部（２−３）で固定して，柄連結部本体（３）は，素材を皮で正方形に製作して，裏の左に縦に面ファスナー凸部（３−２）を，又表の右に縦長に面ファスナー凹部（３−３）を設け，柄連結部本体（３）を傘の柄に巻きつけて固定し，胸固定バンド（４）は，正方形の柄連結部本体（３）の表側左右にそれぞれ糸で縫って固定し，先端に胸固定バンド左面ファスナー凸部（４−２），胸固定バンド左面ファスナー凹部（４−３）で繋げて固定し，傘を差す人の胸に固定バンドの左右先端の凹凸で固定して，両手を放しても傘の上下とも倒れない構造にした携帯傘バンド。
【請求項２】
体の大きい人や肥満体の人で，胸固定バンドが短い人は，左延長バンド左バックル凸部（５−３）と右延長バンド右バックル凹部（６−３）を連結して長くして使える
請求項１記載の携帯傘バンド。
【発明の詳細な説明】
【技術分野】
【０００１】
雨降りに片手に荷物を持ち，反対側の手で傘を差す時は，大変力や体力を必要とするが，力を多く使わずに傘をさせる携帯傘バンドに関する。
【背景技術】
【０００２】
従来，雨降りに片手に荷物を持って，反対側の手で傘を差す時は，力が尽きて傘が傾き，体が雨に濡れてしまい大変苦痛で目的地に到着する事が容易ではない。
特許文献１  実登３０６６４３９号公報（収納式物掛け付傘の取手）
【先行技術文献】
【特許文献】
【０００３】
【特許文献１】実登３０６６４３９号公報
【発明の概要】
【発明が解決しようとする課題】
【０００４】
両手に持つものがない時に雨降りに外出する際は，多少の風でも傘が傾き肩や腕や足が雨に濡れて不快な思いをする事は例外ではない。
しかも，片手に荷物を持っている時は，長時間反対の手に傘の柄を持っていては力が尽きて，辛く傘が傾き体が雨に濡れて大事な洋服やズボンが濡れてしまい，とても嫌な感じがする事や，不便な思いをする事がある。
その不便や不快感は是非とも解決をしなければならない課題である。
本発明は，以上の問題を解決するために発明したものである。
【課題を解決するための手段】
【０００５】
課題を解決するために本発明は，以下の構成とした。
傘を差して受け骨に，受け骨固定バンド（１）を通して，受け骨固定バンド面ファスナー凸部（１−２）と受け骨固定バンド面ファスナー凹部（１−３）で固定し，輪状になった受け骨固定バンド（１）に，額連結バンド（２）を通して，傘を差す人の額に鉢巻き状にして，額連結バンド面ファスナー凸部（２−２）と額連結バンド面ファスナー凹部（２−３）で固定する。これで傘の上部は安定する。
【０００６】
柄連結部本体（３）は，素材を皮で正方形に製作して，裏の左に縦に面ファスナー凸部（３−２）を，又表の右に縦長に面ファスナー凹部（３−３）を設け，柄連結部本体（３）を傘の柄に巻きつけて固定する。
胸固定バンド（４）は，正方形の柄連結部本体（３）の表側左右にそれぞれ糸で縫って固定し，先端に胸固定バンド左面ファスナー凸部（４−２），胸固定バンド左面ファスナー凹部（４−３）で繋げて固定した。
傘を差す人の胸に固定バンドの左右先端の凹凸で固定して，両手を放しても傘の上下とも倒れない構造にした。
【発明の効果】
【０００７】
本発明は，以下の効果を有する。
１．雨降りに片手に荷物を持ったまま傘を差しても，力が尽きて辛く不愉快な気持ちにならない。
２．体やズボンが濡れる心配がない。
３．両手を放しても，傘が倒れる心配がない。
４．どんな傘にも取り付け可能である。
５．体格が大きな人，太った人でも，延長バンド使用すると特に不便はない。
６．軽量で小さく畳めるため便利である。
７．装着が容易である。
【図面の簡単な説明】
【０００８】
【図１】傘を差して受け骨と額に固定した正面図
【図２】傘の受け骨に受け骨固定バンドを取り付けた説明図
【図３】傘の柄に柄連結部本体を巻き付け，それに胸固定バンドを取り付けた説明図
【図４】柄連結部本体に胸固定バンド，延長バンド及びバックルを連結した説明図
【図５】「Ａ」延長バンドとバックル凹部連結「Ｂ」延長バンドとバックル凸部連結
【図６】（１）受け骨固定バンド（２）額連結バンド（３）胸固定バンドと柄連結部本体
【発明を実施するための形態】
【０００９】
傘の上部を安定させる為に以下の構造にした。
傘を差して受け骨に，受け骨固定バンド（１）を通して，受け骨固定バンド面ファスナー凸部（１−２）と受け骨固定バンド面ファスナー凹部（１−３）で固定し，輪状になった受け骨固定バンド（１）に，額連結バンド（２）を通して，傘を差す人の額に鉢巻き状にして，額連結バンド面ファスナー凸部（２−２）と額連結バンド面ファスナー凹部（２−３）で固定する。
【００１０】
傘の下部を安定させる為に以下の構造にした。
柄連結部本体（３）は，素材を皮で正方形に製作して，裏の左に縦に面ファスナー（３−２）を，又表の右に縦長に面ファスナー凹部（３−３）を設け，柄連結部本体（３）を傘の柄に巻きつけて固定する。
胸固定バンド（４）は，正方形の柄連結部本体（３）の表側左右にそれぞれ糸で縫って固定し，先端に胸固定バンド左面ファスナー凸部（４−２），胸固定バンド左面ファスナー凹部（４−３）に繋げて固定した。
傘を差す人の胸に固定バンドの左右先端の凹凸で固定して，両手を放しても傘の上下とも倒れない構造にした。
又，体重が多く肥満の方でも左延長バンド（５），右延長バンド（６）を連結すると何の支障もなく使用できる。
本発明は，携帯用であり，小さく畳むと軽量であり，ポケットにも収納できる。
更に，両手を放しても使用できることと，又軽く抑えても傘が飛ぶ危険も心配もないと言う便利さがある。
又，体の大きい人や肥満体の人は，左延長バンド左バックル凸部（５−３）と右延長バンド右バックル凹部（６−３）を連結して長くして使える構造である。
【符号の説明】
【００１１】
（１）    受け骨固定バンド
（１−２）受け骨固定バンド面ファスナー凸部
（１−３）受け骨固定バンド面ファスナー凹部
（２）    額連結バンド
（２−２）額連結バンド面ファスナー凸部
（２−３）額連結バンド面ファスナー凹部
（３）    柄連結部本体
（３−２）柄連結部バンドと面ファスナー凸部  
（３−３）柄連結部バンドと面ファスナー凹部          
（４）    胸固定バンド
（４−２）胸固定バンド左面ファスナー凸部    
（４−３）胸固定バンド右面ファスナー凹部
（５）    左延長バンド
（５−２）左延長バンド左面ファスナー凸部
（５−３）左延長バンド左バックル凸部
（６）    右延長バンド
（６−２）右延長バンド左面ファスナー凹部
（６−３）右延長バンド左バックル凹部
【図１】
2015213624.tif 000003
【図２】
2015213624.tif 000004
【図３】
2015213624.tif 000005
【図４】
2015213624.tif 000006
【図５】
2015213624.tif 000007
【図６】
2015213624.tif 000008
【手続補正書】
【提出日】平成26年10月21日(2014.10.21)
【手続補正１】
【補正対象書類名】特許請求の範囲
【補正対象項目名】全文
【補正方法】変更
【補正の内容】
【特許請求の範囲】
【請求項１】
傘を差して受け骨に，受け骨固定バンド（１）を通して，受け骨固定バンド面ファスナー凸部（１−２）と受け骨固定バンド面ファスナー凹部（１−３）で固定し，輪状
になった受け骨固定バンド（１）に，額連結バンド（２）を通して，傘を差す人の
額に鉢巻き状にして，額連結バンド面ファスナー凸部（２−２）と額連結バンド面フ
ァスナー凹部（２−３）で固定して，柄連結部本体（３）は，素材を皮で正方形に
製作して，裏の左に縦に面ファスナー凸部（３−２）を，又表の右に縦長に面
ファスナー凹部（３−３）を設け，柄連結部本体（３）を傘の柄に巻きつけて固定し，
胸固定バンド（４）は，正方形の柄連結部本体（３）の表側左右にそれぞれ糸
で縫って固定し，先端に胸固定バンド左面ファスナー凸部（４−２），胸固定バンド左
面ファスナー凹部（４−３）で繋げて固定し，傘を差す人の胸に固定バンドの左右先
端の凹凸で固定して，両手を放しても傘の上下とも倒れない構造にした携帯傘バンド。
【請求項２】
体の大きい人や肥満体の人で，胸固定バンドが短い人は，左延長バンド（５）及び右
延長バンド（６）を胸固定バンド（４）に連結し、左延長バンド左バックル凸部
（５−３）と右延長バンド右バックル凹部（６−３）を連結して長くして使える請求
項１記載の携帯傘バンド。
【手続補正２】
【補正対象書類名】明細書
【補正対象項目名】００１０
【補正方法】変更
【補正の内容】
【００１０】
傘の下部を安定させる為に以下の構造にした。
柄連結部本体（３）は，素材を皮で正方形に製作して，裏の左に縦に面ファス
ナー（３−２）を，又表の右に縦長に面ファスナー凹部（３−３）を設け，柄連結
部本体（３）を傘の柄に巻きつけて固定する。
胸固定バンド（４）は，正方形の柄連結部本体（３）の表側左右にそれぞれ
糸で縫って固定し，先端に胸固定バンド左面ファスナー凸部（４−２），胸固定バン
ド左面ファスナー凹部（４−３）に繋げて固定した。
傘を差す人の胸に固定バンドの左右先端の凹凸で固定して，両手を放しても傘の
上下とも倒れない構造にした。
又，体重が多く肥満の方でも左延長バンド（５），右延長バンド（６）を連結すると
何の支障もなく使用できる。
本発明は，携帯用であり，小さく畳むと軽量であり，ポケットにも収納できる。
更に，両手を放しても使用できることと，又軽く抑えても傘が飛ぶ危険も心配もない。
と言う便利さがある。
又、体の大きい人や肥満体の人で，胸固定バンドが短い人は，左延長バンド（５）
及び右延長バンド（６）を胸固定バンド（４）に連結し、左延長バンド左バックル
凸部（５−３）と右延長バンド右バックル凹部（６−３）を連結して長くして使える
構造である。